(57)【要約】【課題】複数記録層を有する光記録媒体の利便性を向上させて、複数の記録層への記録再生を安定して行うことができる光記録媒体、光記録媒体製造装置および光記録再生装置を提供する。【解決手段】光ディスク１は第１記録層１０および第２記録層８を備えている。第１記録層１０の記録可能領域３の全面に、光記録媒体製造装置によってダミーデータが書き込まれて、記録完了領域１２が形成される。光ディスク１はその後出荷される。ユーザによって、例えば光記録再生装置を用いて、光ディスク１の記録再生が行われる際には、光ビームＬは第１記録層１０の記録完了領域１２を通過して第２記録層８に入射する。したがって、記録再生時に必要な光ビームのパワーを一定にできる。このため、光記録再生装置の構成を簡単にできる。【選択図】　図１
2004039107.tif 000002
【特許請求の範囲】
【請求項１】
光ビームが入射されて情報の記録再生がなされる記録可能領域を含む記録層をｎを２以上の整数としてｎ層有するとともに、上記記録層は上記光ビームの入射側から順に第１記録層ないし第ｎ記録層である光記録媒体において、
上記第１記録層ないし第（ｎ−１）記録層は、上記記録可能領域の全面にダミー情報が記録されていることを特徴とする光記録媒体。
【請求項２】
ｍをｎ未満の整数として、第ｍ記録層の上記記録可能領域は、第（ｍ＋１）記録層の上記記録可能領域よりも広く形成されていることを特徴とする請求項１に記載の光記録媒体。
【請求項３】
上記第ｍ記録層の上記記録可能領域は、上記第（ｍ＋１）記録層に入射される上記光ビームを透過させることを特徴とする請求項２に記載の光記録媒体。
【請求項４】
上記記録層の内の少なくとも一つの記録層は、上記記録可能領域内に、光記録媒体本体の欠陥トラック情報を記録した欠陥管理領域を含むことを特徴とする請求項１または２に記載の光記録媒体。
【請求項５】
上記第１記録層ないし上記第ｎ記録層は、それぞれ上記記録可能領域内に、光記録媒体本体の欠陥トラック情報を記録した欠陥管理領域を含むことを特徴とする請求項１または２に記載の光記録媒体。
【請求項６】
光記録媒体に光ビームを入射させて情報の記録を行うための光ピックアップ装置と、
上記光ピックアップ装置を用いて上記光記録媒体に所望の情報を記録させる制御手段とを備え、
上記制御手段は、上記光ビームが入射されて情報の記録再生がなされる記録可能領域を含む記録層をｎを２以上の整数としてｎ層有する光記録媒体に含まれる、上記光ビームの入射側から順に第１記録層ないし第（ｎ−１）記録層の上記記録可能領域の全面に、ダミー情報を記録させることを特徴とする光記録媒体製造装置。
【請求項７】
光記録媒体に光ビームを入射させて情報の記録を行うための光ピックアップ装置と、
上記光ピックアップ装置を用いて上記光記録媒体に所望の情報を記録させる制御手段とを備え、
上記制御手段は、上記光ビームが入射されて情報の記録再生がなされる記録可能領域を含む記録層をｎを２以上の整数としてｎ層有する光記録媒体に含まれる、上記光ビームの入射側から順に第１記録層ないし第（ｎ−１）記録層の上記記録可能領域の全面に、ダミー情報を記録させるとともに、上記光ビームの反射光量に応じて上記記録可能領域内に含まれる欠陥トラック情報を検出する一方、
上記制御手段は、少なくとも一つの記録層に含まれる、上記欠陥トラック情報を記録するための欠陥管理領域に、上記欠陥トラック情報を記録させることを特徴とする光記録媒体製造装置。
【請求項８】
光記録媒体に光ビームを入射させて情報の記録を行うための光ピックアップ装置と、
上記光ピックアップ装置を用いて上記光記録媒体に所望の情報を記録させる制御手段とを備え、
上記制御手段は、上記光ビームが入射されて情報の記録再生がなされる記録可能領域を含む記録層をｎを２以上の整数としてｎ層有する光記録媒体に含まれる、上記光ビームの入射側から順に第１記録層ないし第（ｎ−１）記録層の上記記録可能領域の全面に、ダミー情報を記録させるとともに、上記光ビームの反射光量に応じて上記記録可能領域内に含まれる欠陥トラック情報を検出する一方、
上記制御手段は、それぞれの記録層に含まれる、上記欠陥トラック情報を記録するための欠陥管理領域に、上記欠陥トラック情報を上記記録層ごとに記録させることを特徴とする光記録媒体製造装置。
【請求項９】
上記光ピックアップ装置を１個のみ有している一方、
上記制御手段は、上記第１記録層ないし上記第（ｎ−１）記録層のいずれか一つの記録層の上記記録可能領域の全面に上記ダミー情報を記録させた後に、他の記録層へ上記ダミー情報を記録させることによって、上記第１記録層ないし第（ｎ−１）記録層の上記記録可能領域の全面に上記ダミー情報を記録させることを特徴とする請求項６ないし８のいずれか１項に記載の光記録媒体製造装置。
【請求項１０】
上記光ピックアップ装置を複数有している一方、
上記制御手段は、上記複数の光ピックアップ装置を用いて、上記光記録媒体のそれぞれ異なる位置へ上記ダミー情報を記録させることによって、上記第１記録層ないし第（ｎ−１）記録層の上記記録可能領域の全面に上記ダミー情報を記録させることを特徴とする請求項６ないし８のいずれか１項に記載の光記録媒体製造装置。
【請求項１１】
上記複数の光ピックアップ装置は、上記光ビームを、既に上記ダミー情報を記録した領域、または上記ダミー情報を記録していない領域のいずれか一方を介して、所望の上記記録層の上記記録可能領域へと入射させて、上記ダミー情報を記録させることを特徴とする請求項１０に記載の光記録媒体製造装置。
【請求項１２】
光記録媒体に光ビームを入射させて情報の記録再生を行う光記録再生装置において、
請求項１ないし５のいずれか１項に記載の光記録媒体に対して記録再生を行うことを特徴とする光記録再生装置。
【発明の詳細な説明】
【０００１】
【発明の属する技術分野】
本発明は、複数の情報記録層を持つ記録再生可能な光記録媒体、光記録媒体製造装置および光記録再生装置に関するものである。
【０００２】
【従来の技術】
近年、デジタル動画のような大容量の情報を記録でき、ランダムアクセスが可能な記録媒体として、高密度化した光ディスク（光記録媒体）が様々な角度から検討されている。例えば、対物レンズの開口数を高くし、光源を短波長化することにより、光ビームスポット径を小さくして、光ディスクの記録密度を高くすることができる。このようにして、光ディスクの記録容量は年々大きくなりつつある。
【０００３】
また、ＤＶＤ−ＲＯＭ（Ｄｉｇｉｔａｌ　Ｖｅｒｓａｔｉｌｅ　Ｄｉｓｃ　ｆｏｒ　Ｒｅａｄ　Ｏｎｌｙ　Ｍｅｍｏｒｙ）においては、２層化技術によりディスク容量をほぼ２倍にする技術が確立されている。
【０００４】
さらに、記録再生可能な光ディスクにおいても、高密度化を目的として、２層の情報記録層（記録層）を持つ光ディスクの検討が進められている。例えば、Ｊｏｉｎｔ　Ｉｎｔｅｒｎａｔｉｏｎａｌ　Ｓｙｍｐｏｓｉｕｍ　ｏｎ　Ｏｐｔｉｃａｌ　Ｍｅｍｏｒｙ　ａｎｄ　Ｏｐｔｉｃａｌ　Ｄａｔａ　Ｓｔｏｒａｇｅ　１９９９　（１９９９年度光メモリおよび光データ記録装置に関する合同国際シンポジウム）においては、”Ａ　１６．８ＧＢ　Ｄｏｕｂｌｅ−Ｄｅｃｋｅｒ　Ｐｈａｓｅ　Ｃｈａｎｇｅ　Ｄｉｓｃ”（１６．８ＧＢの２層化した相変化ディスク）という表題での発表がなされている。
【０００５】
上述の　”Ａ　１６．８ＧＢ　Ｄｏｕｂｌｅ−Ｄｅｃｋｅｒ　Ｐｈａｓｅ　Ｃｈａｎｇｅ　Ｄｉｓｃ”　に記載の構成は、光ディスクの２層の記録層にそれぞれ相変化材料を用いる。
【０００６】
記録層が例えば相変化材料で構成される光ディスクにおいては、記録のためのマーク部がその他のスペース部よりも高い反射率を持つローツウハイ媒体と、スペース部が記録マーク部よりも高い反射率を持つハイツウロー媒体とがある。いずれの媒体も、照射する光ビームの反射光量又は透過光量が変化することを利用して再生を行う。また、このような記録マーク部は、多結晶状態であるか又は非晶質状態であるかに応じて、相変化材料の反射光量又は透過光量が異なることを利用して形成される。
【０００７】
例えば、ハイツーロー媒体を用いた場合、記録を行った記録マーク部においては、案内溝に沿って、反射率が低くなった非晶質領域からなるマーク列が形成される。
【０００８】
ここで、上述した２層の記録層を有する光ディスクにおいて、記録再生をする場合には、以下のような問題があった。
【０００９】
すなわち、光ディスクの有する記録層を光入射側から順に第１記録層、第２記録層とすると、第２記録層に対して記録再生を行う際には、第１記録層を透過した光ビームが第２記録層に入射することになる。このため、第２記録層に入射する光ビームの強度は、その光ビームが透過する第１記録層の領域が記録マーク部であるか又は未記録状態であるかに応じて異なってしまう。
【００１０】
ここで、従来の光ディスクの構成について、図１３ないし１５に基づいて説明する。
【００１１】
従来の光ディスク７１は、図１３に示すように、最外周端７２ａと最内周端７２ｂとの間の記録可能領域７３に記録が行われる。特に、図１３に示す光ディスク７１は、記録完了領域７３ａには記録が行われている一方、未記録領域７３ｂには記録が行われていない状態である。
【００１２】
また、光ディスク７１は、図１４に示すように、光ディスク基板７５上に、案内溝形成層７６、第２記録層７７、案内溝形成中間層７８、第１記録層７９、表面コート層８０が順次積層された構成である。
【００１３】
例えば、第１記録層７９において、ハイツーロー型の相変化記録を行った場合には、第１記録層７９における記録完了領域７３ａすなわち領域７４の光透過率が、それ以外の未記録領域７３ｂの光透過率よりも高くなる。このため、同一強度の光ビームＬ５、Ｌ６をそれぞれ第２記録層７７に照射した場合には、領域７４を通過して第２記録層７７へ集光される光ビームＬ５の強度は、第１記録層７９の未記録領域７３ｂを通過して第２記録層７７へ集光される光ビームＬ６の強度よりも強くなる。
【００１４】
すなわち、第１記録層７９における記録の状態を表す図１５に示すように、第１記録層７９の記録完了領域７３ａには、反射率の高いスペース部８２と反射率が低い記録マーク８１とが形成されている一方、第１記録層７９の未記録領域７３ｂには、反射率の低い記録マーク８１が存在しない。したがって、第１記録層７９の未記録領域７３ｂは反射率が高くなっている。
【００１５】
このため、例えば同一強度の光ビームをそれぞれ記録完了領域７３ａと未記録領域７３ｂとを透過させて第２記録層７７へと集光させる場合、記録完了領域７３ａを透過する光ビームＬ５と、未記録領域７３ｂを透過する光ビームＬ６との光強度は、第１記録層７９における反射率の差、すなわち透過率の差に起因して異なったものとなる。
【００１６】
したがって、第２記録層７７へ記録を行う際には、第１記録層７９の光ビームが透過する領域における記録の有無に応じて、例えば光ビームＬ５と光ビームＬ６との強度を適切に異ならせる必要がある。このため、光ディスク７１へ記録を行うための光記録再生装置（光ディスク記録再生装置）には、例えば第１記録層７９の記録の有無に対応して記録に要する光ビームのパワー（記録パワー）を変化させるといった複雑な記録システムが必要となる。
【００１７】
また、例えば情報の再生を行う際にも、記録により透過率が変化した第１記録層７９を光ビームが通過することにより、第２記録層７７からの反射光量が変化するので、同様に、再生に要する光ビームのパワー（再生パワー）を変化させるといった複雑な再生システムが必要となる。
【００１８】
以上のように、光ディスク７１の第２記録層７７を適切に記録又は再生（記録再生）するためには、第１記録層７９の記録状態を確認した上で、適切な記録パワーまたは再生パワーの光ビームを光ディスク７１に照射する必要がある。このため、光ディスク記録再生装置に備えられる記録再生システムが複雑になり、極めて現実性の低いシステムとなってしまうという問題があった。
【００１９】
これに対して、例えば日本国の公開特許公報「特開２００１−５２３４２号公報（公開日：２００１年２月２３日）」に記載された信号記録装置は、一つの記録層について全面に情報信号を記録した後に、他の記録層について情報信号を追記するようになっている。また、例えば、ｎ（ｎは２以上の整数）層の記録層を有する光記録媒体に対して、対物レンズに対向される第１の記録層から第ｎの記録層へ昇順に、記録層の全面に情報信号を記録する。
【００２０】
したがって、例えば２層の記録層を有する光ディスクに記録を行う際には、対物レンズに対向される第１記録層の全面に記録を行った後に、第２記録層に記録を行う。このため、第２記録層を記録再生する際に、第２記録層の記録状態を確認して光ビームのパワーを調整する必要はない。
【００２１】
【発明が解決しようとする課題】
しかしながら、上記公報記載の信号記録装置は、それぞれの記録層に対して独立して記録再生を行うことがほとんど不可能となり、複数の記録層への記録再生を安定して行うことができない虞れがあり、極めて不便であるという問題がある。
【００２２】
すなわち、上記公報記載の信号記録装置は、一つの記録層について全面に情報信号を記録した後に、他の記録層について情報信号を追記するので、例えば第１記録層の一部に既に記録が行われている光ディスクの第２記録層へ記録をする場合には、第１記録層の残部に記録を行った後でないと、第２記録層への適切な記録を行うことができない。すなわち、それぞれの記録層に対して独立して記録再生を行うことが不可能となるとともに、複数の記録層への記録再生を安定して行うことができない虞れがある。
【００２３】
また、上記公報記載の構成によれば、記録領域の最内周記録トラック（最内周トラック）付近及び最外周記録トラック（最外周トラック）付近において、光ビームが記録領域のエッジ部分を通過して記録層へと集光照射されるため、トラック位置に応じて記録再生感度が異なるという問題を生ずる。
【００２４】
本発明は、上記の問題点に鑑みてなされたものであり、その目的は、複数の記録層を有する光記録媒体の利便性を向上させて、複数の記録層への記録再生を安定して行うことができる光記録媒体、光記録媒体製造装置および光記録再生装置を提供することにある。
【００２５】
【課題を解決するための手段】
本発明に係る光記録媒体は、上記課題を解決するために、光ビームが入射されて情報の記録再生がなされる記録可能領域を含む記録層をｎを２以上の整数としてｎ層有するとともに、上記記録層は上記光ビームの入射側から順に第１記録層ないし第ｎ記録層である光記録媒体において、上記第１記録層ないし第（ｎ−１）記録層は、上記記録可能領域の全面にダミー情報が記録されていることを特徴としている。
【００２６】
ここで、光記録媒体とは、いわゆる光ディスクであり、光学的に情報信号が記録可能な媒体を意味する。例えば記録層に含まれる記録膜の相変化を利用して情報信号が記録される光ディスクを含む。また、記録可能領域とは、記録層に含まれる、情報の記録再生が可能である領域に相当する。情報の記録再生とは、情報の記録または再生を意味する。また、ダミー情報とは、どのような情報であってもよく、特に内容は限定されない。
【００２７】
上記光記録媒体には、光ビームの入射側の第１記録層から第（ｎ−１）記録層までの記録可能領域の全面にダミー情報が記録されている。このため、例えば所望の記録層に対して記録を行う場合には、ダミー情報の記録された記録層を透過した光ビームによって所望の記録層に記録が行われるので、記録に要する光ビームのパワーを一定にできる。また、例えば光記録媒体の所望の記録層に記録された情報を再生する場合には、記録と同様に、再生に要する光ビームのパワーを一定にできる。
【００２８】
以上のように、上記構成によれば、例えば第１記録層から第（ｎ−１）記録層までの光ビームの入射側の記録層における記録状態に応じて、これらの記録層を透過した光ビームの光強度が変化することはない。このため、例えば一つの記録層に記録再生を行う際には、必要な光ビームの強度を一定にできる。したがって、全ての記録層に対する記録再生を独立して行うことが可能となる。よって、複数の記録層を有する光記録媒体の利便性を改善することが可能となる。
【００２９】
また、上記光記録媒体を用いれば、例えば上記光記録媒体に記録再生を行う光記録再生装置において、複雑な記録再生システムを不要として、良好な記録再生システムを実現できる。
【００３０】
なお、ダミー情報とは、例えば宣伝広告用のデータであってもよい。すなわち、ダミー情報として、例えば、新規商品の宣伝広告や、新作映画の宣伝広告映像のような宣伝広告用のデータを記録しておくこともできる。この場合に、宣伝広告主から宣伝費用を徴収して、より低価格な光記録媒体をユーザに提供することが可能となる。
【００３１】
したがって、複数の記録層を有する光記録媒体の利便性を向上させて、複数の記録層への記録再生を安定して行うことができる光記録媒体を提供できる。
【００３２】
本発明に係る光記録媒体は、上記課題を解決するために、上記構成において、ｍをｎ未満の整数として、第ｍ記録層の上記記録可能領域は、第（ｍ＋１）記録層の上記記録可能領域よりも広く形成されていることを特徴としている。
【００３３】
上記構成によれば、例えば第ｍ記録層を透過させて第（ｍ＋１）記録層に記録を行う場合に、光ビームを適切に入射させて、第（ｍ＋１）記録層の最外周トラックまたは最内周トラック近傍においても、第（ｍ＋１）記録層の他の位置と同様の光ビームのパワーによって適切に記録を行うことができる。
【００３４】
また、第（ｍ＋１）記録層の最外周トラックまたは最内周トラック近傍においても、記録と同様に、再生に要する光ビームのパワーを一定にできる。
【００３５】
また、上記光記録媒体を用いれば、例えば上記光記録媒体に記録再生を行う光記録再生装置において、複雑な記録再生システムを不要として、簡単な構成で、良好な記録再生システムを実現できる。
【００３６】
したがって、トラック位置にかかわらず記録再生に必要な光ビームの強度が同じである光記録媒体を提供できる。
【００３７】
本発明に係る光記録媒体は、上記課題を解決するために、上記構成において、上記第ｍ記録層の上記記録可能領域は、上記第（ｍ＋１）記録層に入射される上記光ビームを透過させることを特徴としている。
【００３８】
上記構成によれば、光記録媒体の第（ｍ＋１）記録層に入射される光ビームは、第ｍ記録層のダミー情報が記録された記録可能領域を透過して、第（ｍ＋１）記録層に入射する。
【００３９】
すなわち、上記光記録媒体は、例えば第（ｍ＋１）記録層の記録可能領域の最外周トラックまたは最内周トラックに光ビームが集光照射されたとき、その光ビームが第ｍ記録層の記録可能領域内を通過するように、それぞれの記録層の記録可能領域が設定されている構成である。
【００４０】
したがって、第（ｍ＋１）記録層の最外周トラックまたは最内周トラック近傍においても、第（ｍ＋１）記録層の他の位置と同様の光ビームのパワーによって、確実に、適切に記録を行うことができる。
【００４１】
これによって、全ての記録層に対する記録再生を独立して行うことが可能となり、複数の記録層を有する光記録媒体の利便性をさらに改善することが可能となる。
【００４２】
また、上記光記録媒体を用いれば、例えば上記光記録媒体に記録再生を行う光記録再生装置において、複雑な記録再生システムを不要として、さらに簡単な構成で、良好な記録再生システムを実現できる。
【００４３】
本発明に係る光記録媒体は、上記課題を解決するために、上記構成において、上記記録層の内の少なくとも一つの記録層は、上記記録可能領域内に、光記録媒体本体の欠陥トラック情報を記録した欠陥管理領域を含むことを特徴としている。
【００４４】
ここで、欠陥トラック情報とは欠陥トラックの位置を表す情報である。また、欠陥トラックとは反射光量が規定の範囲からはずれる領域を有するトラックをいう。
【００４５】
上記光記録媒体は、少なくとも一つの記録層の記録可能領域内に、光記録媒体本体の欠陥トラック情報を記録した欠陥管理領域を含んでいる。したがって、上記光記録媒体に記録再生を行う場合には、その欠陥管理領域に記録された欠陥トラック情報を再生して、複数の記録層を有する光記録媒体本体の全ての欠陥トラックを認識することができる。
【００４６】
また、例えば上記光記録媒体を出荷した後に、後述する光記録再生装置を用いて光記録媒体を再生する場合には、光記録再生装置において、欠陥管理領域に記録された欠陥トラック情報を再生して、光記録媒体に記録された情報の再生をよりスムースに行うことができる。
【００４７】
したがって、例えば上記光記録媒体の記録再生における利便性をさらに改善することができる。また、上記光記録媒体を用いれば、例えば上記光記録媒体に記録再生を行う光記録再生装置において利便性を向上できる。
【００４８】
本発明に係る光記録媒体は、上記課題を解決するために、上記構成において、上記第１記録層ないし上記第ｎ記録層は、それぞれ上記記録可能領域内に、光記録媒体本体の欠陥トラック情報を記録した欠陥管理領域を含むことを特徴としている。
【００４９】
ここで、欠陥トラック情報とは欠陥トラックの位置を表す情報である。また、欠陥トラックとは反射光量が規定の範囲からはずれる領域を有するトラックをいう。
【００５０】
上記光記録媒体は、各記録層の記録可能領域内に、光記録媒体本体の欠陥トラック情報を記録した欠陥管理領域を含んでいる。したがって、上記光記録媒体に記録再生を行う場合には、欠陥管理領域に記録された欠陥トラック情報を再生して、複数の記録層を有する光記録媒体本体の欠陥トラックを認識することができる。
【００５１】
ここで、上記光記録媒体の各記録層ごとに、当該記録層における欠陥トラック情報を、当該記録層に含まれる欠陥管理領域に記録させている構成も好ましい。
【００５２】
この構成によれば、それぞれの記録層に記録再生を行う場合に、欠陥管理領域の欠陥トラック情報を再生して、欠陥トラックを認識できる。すなわち、それぞれの記録層が独立して欠陥管理領域を有するので、それぞれの記録層を独立に管理することができる。
【００５３】
したがって、例えば上記光記録媒体の記録再生における利便性をさらに改善することができる。また、上記光記録媒体を用いれば、例えば上記光記録媒体に記録再生を行う光記録再生装置において利便性を向上できる。
【００５４】
本発明に係る光記録媒体製造装置は、上記課題を解決するために、光記録媒体に光ビームを入射させて情報の記録を行うための光ピックアップ装置と、上記光ピックアップ装置を用いて上記光記録媒体に所望の情報を記録させる制御手段とを備え、上記制御手段は、上記光ビームが入射されて情報の記録再生がなされる記録可能領域を含む記録層をｎを２以上の整数としてｎ層有する光記録媒体に含まれる、上記光ビームの入射側から順に第１記録層ないし第（ｎ−１）記録層の上記記録可能領域の全面に、ダミー情報を記録させることを特徴としている。
【００５５】
ここで、ダミー情報とは、どのような情報であってもよく、特に内容は限定されない。
【００５６】
上記光記録媒体製造装置は、複数の記録層を有する光記録媒体の第１〜第（ｎ−１）記録層にダミー情報を記録させる。したがって、上述した本発明に係る光記録媒体を製造することができる。よって、上述した本発明に係る光記録媒体と同様の効果を得ることができる。
【００５７】
ここで、上述した従来の光記録媒体においては、光記録媒体の利便性を向上させるという課題は認識されていないのみならず、例えば出荷前に予め情報を記録させるといった本発明に係る光記録媒体製造装置による解決手段はもちろん開示されていなかった。このため、複数の記録層への記録再生を安定して行えない虞れがあった。
【００５８】
一方、複数の記録層を有する光記録媒体の利便性を向上することを目的として、上述のように上記光記録媒体製造装置を用いれば、上述の本発明に係る光記録媒体を得ることができる。このため、複数の記録層への記録再生を安定して行うことができる。
【００５９】
なお、上記構成において、制御手段がｎ層の記録層のうちの第１〜第（ｎ−１）記録層にダミー情報を記録させる順序については、どのようなものであってもよい。
【００６０】
例えば、複数の光ピックアップ装置を備え、制御手段が各ピックアップ装置をそれぞれ制御して、光記録媒体のそれぞれ異なる位置に、独立にダミー情報の記録を行わせる構成であってもよい。ここで、光記録媒体のそれぞれ異なる位置とは、例えば一つの記録層のそれぞれ異なる領域であってもよいし、またはそれぞれ異なる記録層であってもよい。
【００６１】
この場合には、例えば、第１記録層の記録状態を確認した上で、適切な記録パワーまたは再生パワーの光ビームを光記録媒体に照射するための、複雑な記録再生システムが必要となることもある。しかしながら、上記光記録媒体製造装置に複雑な記録再生システムが必要となったとしても、上述の本発明に係る光記録媒体を再生するための後述する光記録再生装置において、複雑な記録再生システムを不要にできる。したがって、複数の記録層を有する光記録媒体の利便性を改善することができる。
【００６２】
本発明に係る光記録媒体製造装置は、上記課題を解決するために、光記録媒体に光ビームを入射させて情報の記録を行うための光ピックアップ装置と、上記光ピックアップ装置を用いて上記光記録媒体に所望の情報を記録させる制御手段とを備え、上記制御手段は、上記光ビームが入射されて情報の記録再生がなされる記録可能領域を含む記録層をｎを２以上の整数としてｎ層有する光記録媒体に含まれる、上記光ビームの入射側から順に第１記録層ないし第（ｎ−１）記録層の上記記録可能領域の全面に、ダミー情報を記録させるとともに、上記光ビームの反射光量に応じて上記記録可能領域内に含まれる欠陥トラック情報を検出する一方、上記制御手段は、少なくとも一つの記録層に含まれる、上記欠陥トラック情報を記録するための欠陥管理領域に、上記欠陥トラック情報を記録させることを特徴としている。
【００６３】
ここで、欠陥トラック情報とは欠陥トラックの位置を表す情報である。また、欠陥トラックとは反射光量が規定の範囲からはずれる領域を有するトラックをいう。
【００６４】
上記光記録媒体製造装置は、複数の記録層を有する光記録媒体の第１〜第（ｎ−１）記録層にダミー情報を記録させるとともに、記録の際に検出した欠陥トラック情報を欠陥管理領域に記録する。したがって、上述した本発明に係る光記録媒体を製造することができる。よって、上述した本発明に係る光記録媒体と同様の効果を得ることができる。
【００６５】
本発明に係る光記録媒体製造装置は、上記課題を解決するために、光記録媒体に光ビームを入射させて情報の記録を行うための光ピックアップ装置と、上記光ピックアップ装置を用いて上記光記録媒体に所望の情報を記録させる制御手段とを備え、上記制御手段は、上記光ビームが入射されて情報の記録再生がなされる記録可能領域を含む記録層をｎを２以上の整数としてｎ層有する光記録媒体に含まれる、上記光ビームの入射側から順に第１記録層ないし第（ｎ−１）記録層の上記記録可能領域の全面に、ダミー情報を記録させるとともに、上記光ビームの反射光量に応じて上記記録可能領域内に含まれる欠陥トラック情報を検出する一方、上記制御手段は、それぞれの記録層に含まれる、上記欠陥トラック情報を記録するための欠陥管理領域に、上記欠陥トラック情報を上記記録層ごとに記録させることを特徴としている。
【００６６】
ここで、欠陥トラック情報とは欠陥トラックの位置を表す情報である。また、欠陥トラックとは反射光量が規定の範囲からはずれる領域を有するトラックをいう。
【００６７】
上記光記録媒体製造装置は、複数の記録層を有する光記録媒体の第１〜第（ｎ−１）記録層にダミー情報を記録させるとともに、記録の際に検出した欠陥トラック情報を記録層ごとに欠陥管理領域に記録する。したがって、上述した本発明に係る光記録媒体を製造することができる。よって、上述した本発明に係る光記録媒体と同様の効果を得ることができる。
【００６８】
また、ダミー情報の記録と同時に、欠陥トラック情報を検出するので、光記録媒体の形成時間を短縮することが可能となる。
【００６９】
また、例えば上記光記録媒体を出荷した後に、後述する光記録再生装置を用いて光記録媒体を再生する場合には、光記録再生装置において、記録層ごとに、欠陥管理領域に記録された欠陥トラック情報を再生して、光記録媒体に記録された情報の再生をよりスムースに行うことができる。
【００７０】
本発明に係る光記録媒体製造装置は、上記課題を解決するために、上記構成において、上記光ピックアップ装置を１個のみ有している一方、上記制御手段は、上記第１記録層ないし上記第（ｎ−１）記録層のいずれか一つの記録層の上記記録可能領域の全面に上記ダミー情報を記録させた後に、他の記録層へ上記ダミー情報を記録させることによって、上記第１記録層ないし第（ｎ−１）記録層の上記記録可能領域の全面に上記ダミー情報を記録させることを特徴としている。
【００７１】
上記光記録媒体製造装置は、光ピックアップ装置を１個のみ有し、特定の記録層の記録可能領域に対するダミー情報の記録が完了した後、他の記録層へのダミー情報の記録を行う。したがって、それぞれの記録層にダミー情報を記録する際には、必要となる記録のためのパワー感度が一定となり、安定したダミー情報の記録が可能となる。
【００７２】
また、例えば第１記録層の記録状態を確認した上で適切な記録パワーまたは再生パワーの光ビームを照射するための複雑なシステムを不要にできる。
【００７３】
また、例えば上記光記録媒体が少なくとも一つの欠陥管理領域を含む場合には、上述のダミー情報の記録の際に欠陥トラック情報を検出して、ダミー情報の記録完了後に欠陥トラック情報を欠陥管理領域に記録する。したがって、後述する光記録再生装置を用いて光記録媒体を再生する場合には、光記録再生装置において、その欠陥管理領域に記録された欠陥トラック情報を再生して、光記録媒体全体に記録された情報の再生をよりスムースに行うことができる。
【００７４】
また、上記光記録媒体が記録層ごとに欠陥管理領域を含む場合には、記録層ごとにダミー情報の記録と欠陥管理領域への欠陥トラック情報の記録とを行う。したがって、例えば上記光記録媒体を出荷した後に、後述する光記録再生装置を用いて光記録媒体を再生する場合には、光記録再生装置において、記録層ごとに、欠陥管理領域に記録された欠陥トラック情報を再生して、光記録媒体に記録された情報の再生をよりスムースに行うことができる。
【００７５】
本発明に係る光記録媒体製造装置は、上記課題を解決するために、上記構成において、上記光ピックアップ装置を複数有している一方、上記制御手段は、上記複数の光ピックアップ装置を用いて、上記光記録媒体のそれぞれ異なる位置へ上記ダミー情報を記録させることによって、上記第１記録層ないし第（ｎ−１）記録層の上記記録可能領域の全面に上記ダミー情報を記録させることを特徴としている。
【００７６】
上記光記録媒体製造装置は、複数の光ピックアップ装置を有し、例えば複数の記録層に対して同時にダミー情報の記録を行う。したがって、高速なダミー情報の記録が可能となる。
【００７７】
これによって、例えば上述の本発明に係る光記録媒体をより短時間で製造して、製造コストを削減することができる。
【００７８】
なお、上記構成において、光記録媒体のそれぞれ異なる位置へダミー情報を記録させるとは、上述のように複数の記録層に対して同時にダミー情報の記録を行う構成に限るものではなく、例えば、一つに記録層の別々の領域に対して複数の光ピックアップ装置を用いてそれぞれダミー情報の記録を行う構成であってもよい。すなわち、光記録媒体のそれぞれ異なる位置とは、例えば一つの記録層のそれぞれ異なる領域であってもよいし、またはそれぞれ異なる記録層であってもよい。
【００７９】
また、光ピックアップ装置を複数個有し、複数の記録層に一括してダミー情報を形成するので、上記光記録媒体が欠陥管理領域をも含む場合には、例えばダミー情報の記録時には、複数個の光ピックアップ装置からそれぞれの記録層の欠陥トラック情報を検出し、該欠陥情報を保存しておき、ダミー情報の記録完了後に、該欠陥情報を上記特定の記録層に記録する。
【００８０】
また、上記光記録媒体が、各記録層ごとに欠陥管理領域を含む場合には、ダミー情報の形成時には、複数個の上記ピックアップ装置からそれぞれの記録層の欠陥トラック情報を検出し、該欠陥情報を保存しておき、ダミー情報形成完了後、該欠陥情報をそれぞれの記録層の欠陥管理領域に記録する。
【００８１】
したがって、複数の光ピックアップ装置によって、複数の記録層に対してダミー情報を形成するとともに、欠陥トラック情報を検出するので、上記光記録媒体の形成時間を短縮することが可能となる。
【００８２】
本発明に係る光記録媒体製造装置は、上記課題を解決するために、上記構成において、上記複数の光ピックアップ装置は、上記光ビームを、既に上記ダミー情報を記録した領域、または上記ダミー情報を記録していない領域のいずれか一方を介して、所望の上記記録層の上記記録可能領域へと入射させて、上記ダミー情報を記録させることを特徴としている。
【００８３】
上記光記録媒体製造装置は、例えば装置の使用者の指示に応じて、または例えば予め定めた設定に応じて、既にダミー情報を記録した領域、またはダミー情報を記録していない領域のいずれか一方を通過させて、光ビームを所望の記録層の記録可能領域へと入射させてダミー情報を記録させる。
【００８４】
したがって、それぞれの記録層にダミー情報を記録する際には、必要となる記録のためのパワー感度が確実に一定となるので、さらに安定したダミー情報の記録が可能となる。
【００８５】
また、例えば第１記録層の記録状態を確認した上で適切な記録パワーまたは再生パワーの光ビームを照射するための複雑なシステムを不要にできる。
【００８６】
本発明に係る光記録再生装置は、上記課題を解決するために、光記録媒体に光ビームを入射させて情報の記録再生を行う光記録再生装置において、本発明に係る上述のいずれかの光記録媒体に対して記録再生を行うことを特徴としている。
【００８７】
上記光記録再生装置は、光ビームの入射側の第１記録層から第（ｎ−１）記録層までの記録可能領域の全面にダミー情報が記録された上記光記録媒体の記録再生を行う。このため、例えば所望の記録層に対して記録を行う場合には、ダミー情報の記録された記録層を透過した光ビームによって所望の記録層に記録が行われるので、記録に要する光ビームのパワーを一定にできる。また、同様に、再生に要する光ビームのパワーを一定にできる。
【００８８】
したがって、複雑な記録再生システムを不要として、全ての記録層に対する記録再生を独立して行うことが可能となり、複数の記録層を有する光記録媒体の利便性を改善することができる。
【００８９】
【発明の実施の形態】
本発明に係る光記録媒体は、情報を記録するための記録層を、ｎを２以上の整数としてｎ層備えている構成である。上記光記録媒体は、以下に説明するように、例えば本発明に係る光記録媒体製造装置によって光ビームの入射側から順に第１〜第（ｎ−１）記録層にダミー情報が記録された後に、出荷される。そして、上記光記録媒体には、例えばユーザによって、本発明に係る光記録再生装置を用いて所望の情報が記録される。これにより、複数の記録層を有する光記録媒体の利便性を改善できる。
【００９０】
〔実施の形態１〕
本発明の一実施の形態について図１ないし図６に基づいて説明すると以下の通りである。
【００９１】
光ディスク（光記録媒体）１は、図２に示すように、中心にセンター穴２を有している。点線にて示す最内周端４と最外周端５との間の記録可能領域３において、情報の記録がなされる。記録可能領域３には、記録再生のための図示しない案内溝がスパイラル状に形成されている。
【００９２】
また、光ディスク１は、図３に示すように、光ディスク基板６上に、案内溝形成層７、第２記録層８、案内溝形成中間層９、第１記録層１０、表面コート層１１が順次積層された構成である。すなわち、本実施形態の光ディスク１は、記録層を２層有する光ディスクである。
【００９３】
光ディスク１の再生または記録（記録再生）を行う際には、表面コート層１１側から、光ビームＬ１を第１記録層１０の記録可能領域３に、または光ビームＬ２を第２記録層８の記録可能領域３に集光照射する。
【００９４】
より詳細には、図４に示すように、光ディスク１の案内溝形成層７および案内溝形成中間層９には、表面に凹凸パターンからなるスパイラル状の案内溝１３が形成されている。
【００９５】
光ディスク基板６は、例えば板厚１．１ｍｍの透明なポリカーボネートからなる。案内溝形成層７は、２Ｐ法（ｐｈｏｔｏ　ｐｏｌｙｍａｒｉｚａｔｉｏｎ法）と呼ばれるパターン転写技術を用いて層厚２０μｍに形成される紫外線硬化樹脂であって、案内溝１３が設けられている。
【００９６】
第２記録層８は、ＡｌＴｉ合金反射膜１４、ＺｎＳ−ＳｉＯ２干渉膜１５、ＳｉＮ保護膜１６、ＧｅＳｂＴｅ相変化記録膜１７、ＳｉＮ保護膜１８、ＺｎＳ−ＳｉＯ２干渉膜１９を含んでいる。これら第２記録層８の各層１４〜１９は、スパッタリングにより順次積層される。
【００９７】
本実施形態の光ディスク１に用いるＧｅＳｂＴｅ相変化記録膜１７は、多結晶状態であるか又は非晶質状態であるかに応じて、反射光量又は透過光量が異なる材料である。情報を記録させた記録マーク部の反射光量又は透過光量を、その他のスペース部と異ならせることによって、情報の再生を可能としている。また、情報の記録においては、多結晶状態か又は非晶質状態かの所望の状態となるように、記録マーク部を形成する。後述するＧｅＳｂＴｅ相変化記録膜２２についても同様である。すなわち、本実施形態の光ディスク１は、記録層に含まれる記録膜の相変化を利用して情報信号が記録される書き換え可能な光ディスクである。
【００９８】
案内溝形成中間層９は、案内溝形成層７と同様に２Ｐ法と呼ばれるパターン転写技術を用いて層厚２０μｍに形成される紫外線硬化樹脂であって、案内溝１３が設けられている。
【００９９】
第１記録層１０は、ＺｎＳ−ＳｉＯ２干渉膜２０、ＳｉＮ保護膜２１、ＧｅＳｂＴｅ相変化記録膜２２、ＳｉＮ保護膜２３、ＺｎＳ−ＳｉＯ２干渉膜２４を含んでいる。これら第１記録層１０の各層２０〜２４は、スパッタリングにより積層される。
【０１００】
表面コート層１１は、紫外線硬化樹脂をスピンコーティングで塗布した後、紫外線照射により樹脂を硬化して形成される。
【０１０１】
以上のように形成された光ディスク１は、さらに、本発明に係る光記録媒体製造装置としてのダミーデータ形成装置によって、以下のように記録がなされた後に、例えば商品として出荷される。
【０１０２】
第１記録層１０および第２記録層８を有する光ディスク１に対して、図５に示すように、ダミーデータ形成装置５０の光ピックアップから光ビームを照射して、第１記録層１０の記録可能領域３の全面に例えばダミーデータ（ダミー情報）の記録を行う。このダミーデータとは、どのような情報であってもよく、特に内容は限定されない。例えば、図１５に示す記録マーク８１に相当するような、ダミーデータの記録によって得られる記録部と、残りのスペース部８２に相当するような領域とが、第１記録層１０の記録可能領域３の全面にわたってほぼ均等に混在するように、ダミーデータを選択することも好ましい。
【０１０３】
ここで、図５に示すように、複数の光ピックアップを用いて光ディスク１のそれぞれ異なる位置にダミーデータの記録を行えば、光ディスク１への記録に要する時間を短縮して、光ディスク１の製造時間を短縮し、光ディスク１の製造コストを低減することができる。
【０１０４】
例えば、第１の光ピックアップ（光ピックアップ装置）５１は、第１記録層１０の記録可能領域３の内の内側の領域に、第１の光ビームが集光照射されるように、信号処理回路（制御手段）５３によって制御される。第１の光ピックアップ５１は、信号処理回路５３から送られるダミーデータ信号に基づき、センターハブ３５ａおよびスピンドル３５ｂによって回転させられる光ディスク１の第１記録層１０にダミーデータを記録する。
【０１０５】
また、例えば、第２の光ピックアップ（光ピックアップ装置）５２は、第１記録層の記録可能領域３の内の外側の領域に、第２の光ビームが集光照射されるように、信号処理回路（制御手段）５４によって制御される。第２の光ピックアップ５２は、信号処理回路５４から送られるダミーデータ信号に基づき、第１記録層１０にダミーデータを記録する。
【０１０６】
なお、本発明に係る光記録媒体製造装置としてのダミーデータ形成装置は、上述の構成に限るものではなく、例えば光ピックアップ装置を１個のみ有する構成であってもよいし、または例えば光ピックアップ装置を３個以上有する構成であってもよい。
【０１０７】
次に、以上のように作製された光ディスク１の記録状態について、図１に基づいて説明する。
【０１０８】
本実施形態の光ディスク１は、上述のように、例えば出荷される前に、予め第１記録層１０の記録可能領域３の全面にダミーデータが記録される。これによって、図１に示すような記録完了領域１２が設けられる。
【０１０９】
このため、後述する本発明に係る光記録再生装置を用いて、第２記録層８への記録再生を行う際には、記録が完了した第１記録層１０を透過するように光ビームを第２記録層８へと入射して記録再生を行うので、第２記録層８に対する記録再生パワーを一定なものとすることができる。したがって、複雑な記録再生システムを用いることなく、安定した記録再生を実現することが可能となる。
【０１１０】
また、記録再生パワーを一定なものとして、第１記録層１０への上書き記録から始めることも可能であるし、または第２記録層８への記録を先に開始することも可能となる。
【０１１１】
すなわち、本発明の光ディスク１を用いることにより、第１記録層１０と第２記録層８とを完全に独立に制御することが可能となり、光ディスク１の利便性を改善することができる。
【０１１２】
なお、以上の構成から分かるように、本発明に係る記録層をｎ層有する光記録媒体においては、光入射側の第１記録層から第ｎ−１記録層までは、書き換え可能な記録層である必要がある。
【０１１３】
一方、光入射側から最も離れた記録層、すなわち第ｎ記録層は、記録の有無によって他の記録層に影響を与えることはないため、あらかじめダミーデータを形成しておく必要はない。
【０１１４】
次に、図６に基づいて、本発明に係る光ディスク記録再生装置（光記録再生装置）２５の概略構成を説明する。
【０１１５】
光ディスク記録再生装置２５は、例えば光ディスク１を購入したユーザによって用いられる、光ディスク１への所望の情報の記録または記録された情報の再生をするための装置である。
【０１１６】
光ディスク記録再生装置２５は、センターハブ２６ａ、スピンドル２６ｂ、光源２７、ビームスプリッタ２８、対物レンズ２９、二軸アクチュエータ３０、コリメートレンズ３１、集光レンズ３２、受光素子３３、および信号処理回路３４を備えている。
【０１１７】
センターハブ２６ａおよびスピンドル２６ｂは、光ディスク１を回転駆動させるためのものである。光源２７としては例えば半導体レーザを用いることができる。ビームスプリッタ２８は、光を反射または透過させるものであり、これを用いることによって光ディスク１に対する入射光および反射光のための部材を共用できる。二軸アクチュエータ３０は、対物レンズ２９の位置をフォーカス方向及びトラック方向に調整する。受光素子３３は、集光レンズ３２を介して受光した光量に応じた出力信号を信号処理回路３４へと出力する。
【０１１８】
信号処理回路３４は、光ディスク記録再生装置２５の制御を行うためのものであり、光源２７を調整して所望の強度の光を光ディスク１に照射させたり、二軸アクチュエータ３０を制御して光ディスク１への入射光および反射光を調整させたり、受光素子３３からの出力信号に応じて情報の再生を行ったりする。
【０１１９】
上記構成の光ディスク記録再生装置２５は、例えば情報の記録再生を行う際には、センターハブ２６ａを介してスピンドル２６ｂに光ディスク１を固定して回転駆動する。それとともに、光源２７から光ビームを出射させる。光ビームはコリメートレンズ３１により平行光とされ、ビームスプリッタ２８を透過し、二軸アクチュエータ３０によってフォーカス方向及びトラック方向に駆動可能に支持された対物レンズ２９に入射し、光ディスク１の第１記録層１０または第２記録層８上に集光される。
【０１２０】
光ディスク１からの反射光は、ビームスプリッタ２８により反射され、集光レンズ３２を介して受光素子３３に入射する。受光素子３３は、再生信号検出素子、フォーカス誤差信号検出素子、トラック誤差信号検出素子で構成されており、各検出素子の出力は、信号処理回路３４へと入力される。信号処理回路３４は、記録再生時の光源２７のパワー制御を行うと共に、フォーカス誤差信号検出素子、トラック誤差信号検出素子からの出力に応じて、フォーカシング及びトラッキングを行うため、二軸アクチュエータ３０の駆動を行う。
【０１２１】
以上のようにして、光ビームは第１記録層１０または第２記録層８のいずれかに集光され、案内溝１３に沿うようにされて、情報の記録再生が行われる。
【０１２２】
以上のように、光ディスク記録再生装置２５は、本発明に係る光ディスク１に記録再生を行う構成である。このため、例えば第１記録層１０の記録状態を確認した上で適切な記録パワーまたは再生パワーの光ビームを照射するといった複雑なシステムを不要にできる。したがって、複数の記録層を有する光記録媒体の利便性を改善して、記録再生を容易にできる。
【０１２３】
ここで、上述した従来の技術の特開２００１−５２３４２号公報には、例えば、図１４に示す光ディスク７１の第１記録層７９に含まれる記録可能領域７３の全面に記録をした後、第２記録層７７に記録を行う信号記録装置が記載されている。
【０１２４】
このような装置を例えばユーザが用いて、光ディスク７１の光入射側の記録層から順次、情報信号を追加記録すれば、光入射側の記録層の記録状態に伴う記録再生感度の局所的な変化を防止することが可能となる。
【０１２５】
しかしながら、例えば、第１記録層７９の記録領域７３の一部分へ記録を行って記録完了領域７３ａを形成した後に第２記録層７７へ記録を行うためには、第１記録層７９の未記録領域７３ｂに何らかのデータの記録を行った後、第２記録層７７への記録を開始することになる。
【０１２６】
すなわち、上記公報記載の光ディスク記録再生装置においては、第１記録層７９と第２記録層７７とに対して、独立に制御して記録をすることができないという問題が存在する。
【０１２７】
これに対して、本発明に係る光ディスク１は、第１記録層１０の記録領域３の全面が記録完了状態とされている。このため、光ディスク１へ記録を行う光ディスク記録再生装置２５は、光ディスク１が装着された後に、第１記録層１０上への上書き記録から始めることも可能であるし、または第２記録層８への記録を先に開始することも可能となる。
【０１２８】
すなわち、光ディスク１を用いることにより、第１記録層１０と第２記録層８とを完全に独立に制御することが可能となる。したがって、複数の記録層を有する光記録媒体としての光ディスク１の利便性を改善することができる。
【０１２９】
以上のように、第１記録層１０の記録領域３の全面を記録完了状態として光ディスク１を出荷することにより、第２記録層８への記録再生を行う際、常に、記録が完了した第１記録層１０を透過して光ビームを第２記録層８へと入射し、記録再生を行うことになる。このため、第２記録層８に対する記録再生パワーを一定なものとすることが可能となり、複雑な記録再生システムを用いることなく、安定した記録再生を実現することが可能となる。
【０１３０】
以上のように、本発明の光記録媒体は複数層の情報記録層を有する記録媒体である。本発明は、これら複数層の情報記録層に対して、片側の面から記録再生のための光が入射される光記録媒体であって、各層ごとに独立して情報の記録再生が可能となる光記録媒体を提供することを目的とする。また、本発明は、複数層の記録再生を安定して行うことが可能な光記録媒体、光記録媒体製造装置および光記録再生装置を提供することを目的としている。
【０１３１】
そこで、あらかじめ、光入射側の記録層の記録可能領域全面にダミーデータを形成した後、光記録媒体を出荷する。これにより、その光入射側の記録層に隣接する記録層の記録可能領域への記録再生特性を安定化するのである。
【０１３２】
なお、本実施形態の光ディスク１は２層の記録層を有する構成であるが、本発明はこれに限るものではなく、３層以上の記録層を有する構造とすることも可能である。少なくとも光入射側に位置する全ての記録層、すなわちｎ層の記録層のうちの光入射側から第１〜第（ｎ−１）記録層を記録完了状態とした、本発明に係る光記録媒体を出荷することにより、上述と同様に光記録媒体の利便性を改善することができる。
【０１３３】
また、上述の３層以上の記録層を有する構成においては、すくなくとも２層以上の記録層にダミーデータを記録させる必要がある。
【０１３４】
この場合には、例えば光ピックアップ装置を１個のみ有する光記録媒体製造装置を用いて、ダミーデータを形成すべき特定の記録層の記録可能領域全面にダミーデータを形成した後、他の記録層にダミーデータを記録する構成も好ましい。そうすれば、ダミーデータの記録の際に、記録に必要な光ビームのパワー（記録パワー感度）が変動することを防げる。一方、もし例えば特定の記録層の一部分にダミーデータを記録した後に他の記録層にダミーデータを形成すると、記録パワー感度が変動してしまい、適切なダミーデータの記録が行えない虞れがある。
【０１３５】
また、例えば、図５に示すような複数の光ピックアップ装置を有するダミーデータ形成装置５０を用いて、光記録媒体のそれぞれ異なる位置として、複数の記録層にそれぞれ同時にダミーデータを記録する構成も好ましい。
【０１３６】
すなわち、図５に示すダミーデータ形成装置５０を、例えば光入射側から第１記録層、第２記録層、第３記録層の３層の記録層を有する光ディスクの第１記録層及び第２記録層にダミーデータを記録するために用いることができる。
【０１３７】
この場合には、例えば、信号処理回路５３の制御によって、第１の光ピックアップ５１を用いて、第１記録層に第１の光ビームを集光照射する。そして、信号処理回路５３から送られるダミーデータ信号に基づき、第１記録層にダミーデータを記録する。また、信号処理回路５４の制御によって、第２の光ピックアップ５２を用いて、第２記録層に第２の光ビームを集光照射する。そして、信号処理回路５４から送られるダミーデータ信号に基づき、第２記録層にダミーデータを記録する。
【０１３８】
このように、複数の記録層に対して、独立した複数の光ピックアップ装置で、複数の記録層に同時にダミーデータを形成することにより、ダミーデータ形成時間が短縮され、光ディスク製造時間を短縮することが可能となる。
【０１３９】
なお、上述のように複数の光ピックアップ装置を用いて光ビームを照射する場合には、第２の光ビームは、常に、第１記録層のダミーデータ形成が完了した領域のみ、または、ダミーデータ形成が行われていない領域のみを通過して、第２記録層へと集光照射されるように、第１の光ピックアップと第２のピックアップとを制御することが望ましい。そうすれば第２記録層へのダミーデータの記録に必要な光ビームのパワーを一定にすることができる。したがって、第２記録層への安定したダミーデータ記録を実現することが可能となる。
【０１４０】
ここでは、３層の記録層を有する光ディスクについて説明したが、４層以上の記録層を有する光ディスクに対しても、同様な光ピックアップ制御を行うことにより、安定したダミーデータ記録を実現し、光ディスク製造時間を短縮することが可能となる。
【０１４１】
すなわち、特定の記録層にダミーデータを形成する光ビームが、他の記録層を通過する際、ダミーデータ形成が完了した領域、または、ダミーデータ形成が行われていない領域のいずれか一方を通過させるように、複数の光ピックアップ装置を制御することが望ましい。
【０１４２】
また、上述の実施の形態においては、第１記録層１０の記録領域３を記録完了状態とするために、ダミーデータを記録する実施例について記載している。このダミーデータは、例えば宣伝広告用のデータであってもよい。すなわち、例えば、新規商品の宣伝広告や、新作映画の宣伝広告映像のような宣伝広告用のデータを記録しておき、宣伝広告主から宣伝費用を徴収すれば、より低価格な光ディスク１をユーザに提供することが可能となる。
【０１４３】
また、上述の実施の形態においては、ダミーデータ形成装置５０を用いてダミーデータを記録する構成について説明しているが、本発明は、例えば第１記録層１０にダミーデータを記録した後に、さらにＴＯＣ（Ｔａｂｌｅ　ｏｆ　Ｃｏｎｔｅｎｔｓ）を記録する構成であってもよい。
【０１４４】
また、上述の実施の形態においては、光ディスク基板６として、板厚１．１ｍｍの透明なポリカーボネート製の基板を用いたが、本発明はこれに限るものではない。本実施の形態のように、表面コート層１１側から光ビームを入射させる場合、光ディスク基板６は透明である必要は無く、不透明な金属製の基板を用いることも可能である。
【０１４５】
また、ここでは、凹凸パターンからなるスパイラル状の案内溝１３を有する層厚２０μｍの案内溝形成層７を２Ｐ法により形成しているが、射出成形法により、光ディスク基板６の表面に直接凹凸パターンからなるスパイラル状の案内溝を形成しても良い。この場合、案内溝形成層７は不要となる。
【０１４６】
また、ここでは、スピンコート法により紫外線効果樹脂からなる表面コート層１１を形成したが、均一な厚みを有する透明シートを第１記録層１０上に貼り付けて、表面コート層１１とすることも可能である。
【０１４７】
また、ここでは、光ディスク基板６上に、表面に凹凸案内溝が形成された案内溝形成層７、第２記録層８、案内溝形成中間層９、第１記録層１０、表面コート層１１が順次積層された構成についてのみ説明しているが、光ディスク基板６上に、表面に凹凸案内溝が形成された案内溝形成層７、第１記録層１０、案内溝形成中間層９、第２記録層８、表面コート層１１が順次積層された構成として、光ディスク基板６側から光ビームを照射する構成とすることも可能である。ただし、この場合、第１記録層１０を構成する膜２０〜２４と第２記録層８を構成する膜１４〜１９との成膜順序を、それぞれ図４の場合と逆にすることが必要である。
【０１４８】
〔実施の形態２〕
本発明の他の実施の形態について図７および図８に基づいて説明すると以下の通りである。なお、上述の実施の形態における各部材と同様の部材については同じ参照符号にて参照し、説明は省略する。また、上述の実施の形態１の各種の特徴点については、本実施の形態についても組み合わせて適用し得るものとする。
【０１４９】
本実施形態の光ディスク（光記録媒体）１ａは、図７に示すように、光ディスク基板６上に、案内溝形成層７、第２記録層８ａ、案内溝形成中間層９、第１記録層１０ａ、表面コート層１１が順次積層された構成である。
【０１５０】
本実施形態の第１記録層１０ａおよび第２記録層８ａは、それぞれ上述の第１記録層１０および第２記録層８とほぼ同様に形成される。
【０１５１】
しかしながら、本実施形態の第１記録層１０ａおよび第２記録層８ａは、第１記録層１０ａの記録可能領域３ａが、第２記録層８ａの記録可能領域３ｂよりも広くなっている。
【０１５２】
そして、このように形成された第１記録層１０ａの記録可能領域３ａには、上述の実施の形態と同様に、例えば、図５に示すようなダミーデータ形成装置（光記録媒体製造装置）５０を用いて、ダミーデータ（ダミー情報）の記録が行われる。
【０１５３】
このように作製された光ディスク１ａは、例えば上述の実施の形態と同様に出荷される。そして、例えばユーザによって、図６に示す光ディスク記録再生装置（光記録再生装置）２５を用いて、光ディスク１ａへの記録が行われる。この場合には、例えば図８に示すように、第１記録層１０ａの記録可能領域３ａが第２記録層８ａの記録可能領域３ｂよりも広いので、第１記録層１０ａの記録可能領域３ａは第２記録層８ａへ集光照射される光ビームＬ４を常に透過させる。
【０１５４】
このため、第２記録層８ａの記録可能領域３ｂの端近傍の最外周記録トラック（最外周トラック）または最内周記録トラック（最内周トラック）においても、記録パワー感度や再生パワー感度を変動させることなく、適切に光ディスク１ａに記録を行うことができる。
【０１５５】
なお、図８に示す光ディスク１ａは、記録可能領域３ａの図示しない案内溝に沿ってダミーデータが記録された状態で出荷される。一方、記録可能領域の範囲外の領域３ｃ、３ｄには記録のための案内溝は形成されず、平坦となっている。
【０１５６】
ここで、従来の光ディスク７１は、例えば図１６に示すように、第１記録層７９および第２記録層７７において、記録可能領域７３の大きさはほぼ等しくなっている。また、記録可能領域の範囲外の領域７３ｃには記録のための案内溝は形成されず、平坦となっている。
【０１５７】
この構成において、図１６に示すように、第２記録層７７の記録可能領域７３の端近傍に記録を行う場合を考える。すなわち、第１記録層７９の全面に記録が行われた後に、第２記録層７７の記録可能領域７３の端近傍に記録を行う場合には、光ビームＬ７は、第１記録層７９の記録可能領域７３だけでなく、第１記録層の領域７３ｃをも通過することになる。
【０１５８】
ここで、第１記録層７９の領域７３ｃには、案内溝が存在せず、記録マークも形成されていないため、相対的に反射率が高くなっている。一方、ダミーデータが形成された第１記録層７９の記録可能領域７３の反射率は、相対的に低くなる。
【０１５９】
このため、第２記録層７７の記録可能領域７３の端近傍に記録を行う場合は、例えば第２記録層７７の記録可能領域７３の中央付近に記録を行う場合と比較して、光ビームの強度が異なってしまう。
【０１６０】
このように、従来の光ディスク７１においては、光ビームを集光するトラックの位置によって、光ビームが第１記録層７９の記録可能領域７３を通過する割合が変化するため、適切な記録のための記録パワー感度及び再生パワー感度が変動し、安定した記録再生が阻害されることになる。
【０１６１】
そこで、本実施形態においては、上述のように、図８に示す光ディスク１ａの第１記録層１０ａの記録可能領域３ａを、第２記録層８ａの記録可能領域３ｂよりも広く形成する。
【０１６２】
これによって、例えば第２記録層８ａの最外周トラックまたは最内周トラックに記録を行う場合でも、第２記録層８ａの最外周トラックまたは最内周トラックへと集光される光ビームＬ４は、図８に示すように、常に、ダミーデータが記録された第１記録層１０ａの記録可能領域３ａを通過する。したがって、第２記録層８ａに記録をする場合に、トラック位置に応じて記録再生パワーを変動させる必要はなく、安定した記録再生を実現することが可能となる。
【０１６３】
ここで、図７に示すように第２記録層８ａに対して記録再生を行う場合、第２記録層８ａに照射される光ビームＬ３の、第１記録層１０ａにおける半径は、大きくても案内溝形成中間層９の層厚程度の大きさである。この第１記録層１０ａにおける光ビームＬ３の半径とは、例えば図１５に示す従来の光ディスク７１の第１記録層７９における光ビームＬ５、Ｌ６の半径に相当する。したがって、第１記録層１０ａの記録可能領域３ａは、第２記録層８ａの記録可能領域３ｂよりも、案内溝形成中間層９の層厚だけ広く形成すればよい。
【０１６４】
また、第１記録層１０ａの図示しない案内溝と第２記録層８ａの図示しない案内溝との間に偏心が存在する場合には、第１記録層１０ａの記録可能領域３ａは、案内溝形成中間層９の層厚に偏心量を加えた幅だけ、第２記録層８ａの記録可能領域３ｂよりも広くする構成が好ましい。
【０１６５】
すなわち、例えば案内溝のピッチが０．３μｍ程度であり、案内溝形成中間層９の層厚が２０μｍ程度であるような場合には、案内溝形成中間層９の層厚よりも広いように、少なくとも６０本以上の案内溝に対応する幅で、第１記録層１０ａの記録可能領域３ａを第２記録層８ａの記録可能領域３ｂよりも広くする。
【０１６６】
以上のように、第１記録層１０ａの記録可能領域３ａを第２記録層８ａの記録可能領域３ｂよりも広くすれば、第２記録層８ａの記録可能領域３ｂの最外周トラックまたは最内周トラックに光ビームを集光照射する場合でも、光ビームが第１記録層１０ａの記録可能領域３ａ内を通過するようにできる。また、第１記録層１０ａの記録可能領域３ａの全面を記録完了状態として光ディスク１ａを出荷すれば、第２記録層８ａへの記録再生を行う際、常に、記録が完了した第１記録層１０ａの記録可能領域３ａを通過させて第２記録層８ａへと入射して記録再生することができる。
【０１６７】
したがって、第２記録層８ａに対する記録再生パワーを一定なものとすることが可能となり、複雑な記録再生システムを用いることなく、安定した記録再生を実現することが可能となる。
【０１６８】
なお、本実施形態の光ディスク１ａは２層の記録層を有する構成であるが、本発明はこれに限るものではなく、３層以上の記録層を有する構造であってもよい。
【０１６９】
この場合には、光記録媒体としての光ディスクは、ｎを３以上の整数として記録層をｎ層有しており、光入射側の第１記録層から第（ｎ−１）記録層の記録可能領域にダミーデータが記録される。また、ｍをｎ未満の整数として、第ｍ記録層の記録可能領域は、第（ｍ＋１）記録層の記録可能領域よりも広く形成される。また、各記録層の記録可能領域は、第（ｍ＋１）記録層の記録可能領域の最外周トラックまたは最内周トラックに光ビームが集光照射されたときであっても、その光ビームが第ｍ記録層の記録可能領域内を通過するように決定されている。
【０１７０】
また、３層以上の記録層を有する構成においては、すくなくとも２層以上の記録層にダミーデータを記録させる必要がある。この場合の光ピックアップ装置を用いた光記録媒体製造装置の制御については、上述の実施の形態１と同様に行うことができる。
【０１７１】
〔実施の形態３〕
本発明のさらに他の実施の形態について図９ないし図１１に基づいて説明すると以下の通りである。なお、上述の実施の形態における各部材と同様の部材については同じ参照符号にて参照し、説明は省略する。また、上述の実施の形態１および実施の形態２の各種の特徴点については、本実施の形態についても組み合わせて適用し得るものとする。
【０１７２】
本実施形態の光ディスク（光記録媒体）１ｂは、図９に示すように、光ディスク基板６上に、案内溝形成層７、第２記録層８ｂ、案内溝形成中間層９、第１記録層１０ｂ、表面コート層１１が順次積層された構成である。
【０１７３】
本実施形態の第１記録層１０ｂおよび第２記録層８ｂは、それぞれ上述の第１記録層１０ａおよび第２記録層８ａとほぼ同様に形成される。
【０１７４】
しかしながら、本実施形態の第１記録層１０ｂは、記録可能領域の最外周部分に欠陥管理領域３ｇを有している。
【０１７５】
欠陥管理領域３ｇは、第１記録層１０ｂ及び第２記録層８ｂの欠陥トラック情報を記録するための領域である。ここで、欠陥トラック情報とは欠陥トラックの位置を表す情報である。また、欠陥トラックとは反射光量が規定の範囲からはずれる領域を有するトラックをいう。この欠陥トラック情報は、後述するように、光ディスク１ｂへのダミーデータの記録の際に、反射光量に応じて検出される。そして、その後に欠陥管理領域３ｇに記録される。
【０１７６】
また、第１記録層１０ｂの記録可能領域のうちの領域３ｅには、ダミーデータが記録される。光ディスク１ｂは、ダミーデータおよび欠陥トラック情報が記録された後、商品として出荷される。
【０１７７】
すなわち、光ディスク１ｂにおいても、上述の実施の形態と同様に、第１記録層１０ｂの記録可能領域である領域３ｅと欠陥管理領域３ｇとには、全面にわたってダミーデータまたは欠陥トラック情報が記録される。このため、第２記録層８ｂへ集光照射される光ビームは、第１記録層１０ｂの記録可能領域を通過して、第２記録層８へと集光照射される。したがって、第２記録層８ｂにおける記録再生パワー感度変動を発生することなく、第２記録層８ｂに対する記録再生を行うことができる。
【０１７８】
また、上述の実施の形態２における光ディスク１ａと同様に、第１記録層１０ｂの記録可能領域３ｅと３ｇとを、第２記録層８ｂの記録可能領域３ｆよりも広くすることによって、第２記録層８ｂの最外周トラックまたは最内周トラックに光ビームを集光照射する場合においても、第１記録層１０ｂの記録完了領域３ｅおよび３ｇを通過させて、光ビームを第２記録層８ｂへと集光照射することが可能となる。
【０１７９】
光ディスク１ｂにおいては、第１記録層１０ｂと第２記録層８ｂとの欠陥トラック情報の全てを、第１記録層１０ｂの欠陥管理領域３ｇに記録する。このため、第１記録層１０ｂの欠陥管理領域３ｇの情報を再生することによって、光ディスク１ｂの全ての欠陥トラック情報を把握することが可能となる。
【０１８０】
したがって、例えば、光ディスク１ｂの第１記録層１０ｂと第２記録層８ｂとに、連続した情報を記録再生するような場合であっても、光ディスク１ｂの欠陥トラック情報を全て把握することができるので、確実に欠陥トラックを避けて記録再生することが可能となる。
【０１８１】
ここで、光ディスク１ｂは、例えば本発明に係る光記録媒体製造装置によって、以下に説明するように記録がなされた後に、商品として出荷される。
【０１８２】
例えば、図１０に示すように、ダミーデータ形成装置（光記録媒体製造装置）５０ａは、信号処理回路（制御手段）５６ａの制御によって光ピックアップ（光ピックアップ装置）５１ａから光ビームを照射して、センターハブ３５ｃおよびスピンドル３５ｄによって回転させられる光ディスク１ｂの第１記録層１０ｂの記録可能領域３ｅにダミーデータの記録を行う。
【０１８３】
また、ダミーデータ形成装置５０ａは、ダミーデータを記録する際の反射光量を検出し、反射光量が規定の範囲からはずれる領域を有するトラックの情報を欠陥トラック情報として、欠陥トラック記憶回路（制御手段）５７ａに保存する。
【０１８４】
本実施形態の光ディスク１ｂについては、第１記録層１０ｂと第２記録層８ｂとにダミーデータの記録を行う。記録層へのダミーデータ形成が終了した後、特定の記録層に設けられた欠陥管理領域、すなわち第１記録層１０ｂの欠陥管理領域３ｇに、欠陥トラック記憶回路５７ａに記憶された欠陥トラック情報を記録する。
【０１８５】
以上のように、図９に示す２層の記録層を有する光ディスク１ｂには、第１記録層１０ｂの記録可能領域３ｅと、第２記録層８ｂの記録可能領域３ｆとにダミーデータが記録された後に、検出された欠陥トラック情報が第１記録層１０ｂの最外周に設けられた欠陥管理領域３ｇに記録される。光ディスク１ｂは、その後、未使用光ディスクとして出荷される。
【０１８６】
なお、本発明の光記録媒体においては、光入射側から最も離れた記録層は、記録の有無により、他の記録層に影響を与えないため、あらかじめダミーデータを形成しておく必要はない。
【０１８７】
すなわち、図９に示す光ディスク１ｂにおいては、必ずしも第２記録層８ｂにダミーデータを記録しておく必要はない。
【０１８８】
しかしながら、光ディスク１ｂの欠陥トラック情報を検出する際に、第１記録層１０ｂと第２記録層８ｂとの両方にダミーデータを記録すれば、第１記録層１０ｂから欠陥トラック情報を検出する場合と、第２記録層８ｂから欠陥トラック情報を検出する場合とで、同じ検出回路を用いて欠陥トラックを検出することが可能となる。したがって、本実施形態の光ディスク１ｂのように欠陥管理領域３ｇを設ける場合には、全ての記録層にダミーデータの記録を行うことが望ましい。
【０１８９】
また、光ディスク１ｂは、上述の図１０に示すダミーデータ形成装置５０ａでなく、例えば図１１に示すにダミーデータ形成装置（光記録媒体製造装置）５０ｂによって、以下のようにダミーデータおよび欠陥トラック情報の記録がなされた後に、商品として出荷されてもよい。
【０１９０】
ダミーデータ形成装置５０ｂは、図１１に示すように、２つの光ピックアップ（光ピックアップ装置）５１ｂ・５２ｂを備えている。
【０１９１】
ダミーデータ形成装置５０ｂは、センターハブ３５ｅおよびスピンドル３５ｆによって回転させられる光ディスク１ｂに対して、例えば光ピックアップ５１ｂを用いて第１記録層１０ｂに光ビームを集光照射し、また例えば光ピックアップ５２ｂを用いて第２記録層８ｂに光ビームを集光照射する。より詳しくは、光ピックアップ５１ｂは、第１の信号処理回路（制御手段）５６ｂに制御されて、光ディスク１ｂに対してフォーカシング及びトラッキングを行いつつ、第１記録層１０ｂの記録可能領域３ｅにダミーデータの記録を行う。光ピックアップ５２ｂは、第２の信号処理回路（制御手段）５８ｂに制御されて、光ディスク１ｂに対してフォーカシング及びトラッキングを行いつつ、第２記録層８ｂの記録可能領域３ｆにダミーデータの記録を行う。
【０１９２】
一方、各記録層へのダミーデータ形成時に、上述のように反射光量の変動として検出された欠陥トラック情報は、それぞれ、第１の欠陥トラック記憶回路（制御手段）５７ｂと第２の欠陥トラック記憶回路（制御手段）５９ｂとに記憶される。ダミーデータ形成完了後には、第１記録層１０ｂと第２記録層８ｂとの欠陥トラック情報の全てが、第１記録層１０ｂの欠陥管理領域３ｇに記録される。
【０１９３】
この場合も、第１記録層１０ｂと第２記録層８ｂとの両方にダミーデータを形成すれば、第１記録層１０ｂと第２記録層８ｂとから、それぞれの欠陥トラック情報を同一の信号検出回路により検出することが可能である。したがって、全ての記録層にダミーデータを形成することが望ましい。
【０１９４】
なお、本実施形態においては、第１記録層１０ｂと第２記録層８ｂとを有する光ディスク１ｂについて説明したが、本発明はこれに限るものではなく、３層以上の記録層を有する光記録媒体に対しても適用可能である。
【０１９５】
すなわち、本発明の光ディスクは、上述の実施の形態１の光ディスク１または実施の形態２の光ディスク１ａにおいて、さらに特定の記録層の記録可能領域内に欠陥管理領域を設け、その欠陥管理領域に光ディスクの全ての欠陥トラック情報を記録した光ディスクであってもよい。
【０１９６】
このように作製された光ディスク１ａは、例えば上述の実施の形態と同様に出荷される。そして、例えば図６に示すような光ディスク記録再生装置２５によって記録再生が行われる。上述の実施の形態と同様に、記録パワー感度や再生パワー感度を変動させることなく、適切に光ディスク１ｂに記録再生を行うことができる。
【０１９７】
〔実施の形態４〕
本発明のさらに他の実施の形態について図１２に基づいて説明すると以下の通りである。なお、上述の実施の形態における各部材と同様の部材については同じ参照符号にて参照し、説明は省略する。また、上述の実施の形態１ないし実施の形態３の各種の特徴点については、本実施の形態についても組み合わせて適用し得るものとする。
【０１９８】
本実施形態の光ディスク（光記録媒体）１ｃは、図１２に示すように、光ディスク基板６上に、案内溝形成層７、第２記録層８ｃ、案内溝形成中間層９、第１記録層１０ｃ、表面コート層１１が順次積層された構成である。
【０１９９】
光ディスク１ｃの第１記録層１０ｃは、記録可能領域として、最外周部分に第１の欠陥管理領域３ｊを有している一方、その他に記録可能な領域３ｈを有している。また、光ディスク１ｃの第２記録層８ｃは、記録可能領域として、最外周部分に第２の欠陥管理領域３ｋを有している一方、その他に記録可能な領域３ｉを有している。すなわち、本実施形態の光ディスク１ｃは、各記録層ごとに欠陥管理領域を有している。
【０２００】
第１の欠陥管理領域３ｊは、第１記録層１０ｃの欠陥トラック情報をデータとして記録するための領域である。第２の欠陥管理領域３ｋは、第２記録層８ｃの欠陥トラック情報をデータとして記録するための領域である。
【０２０１】
光ディスク１ｃは、上述の実施の形態と同様に、例えば本発明に係る光記録媒体製造装置によって、少なくとも第１記録層１０ｃの領域３ｈにダミーデータが記録される。また、ダミーデータの記録の際に検出された欠陥トラック情報が、記録層ごとに、その記録層に備えられる欠陥管理領域に記録される。そして、その後、例えば商品として出荷される。
【０２０２】
すなわち、以上のように形成された光ディスク１ｃに対して、上述したダミーデータ形成装置５０ａ・５０ｂなどを用いて、ダミーデータ及び欠陥管理領域を形成することが可能である。
【０２０３】
例えば、図１０に示すダミーデータ形成装置５０ａによって、１つの光ピックアップ装置５１ａを用いて第１記録層１０ｃの領域３ｈにダミーデータを形成した後、第１の欠陥管理領域３ｊに第１記録層１０ｃの欠陥トラック情報を記録する。次に、第２記録層８ｃの領域３ｉにダミーデータを形成した後、第２の欠陥管理領域３ｋへ第２記録層８ｃの欠陥トラック情報を記録する。
【０２０４】
ここで、本発明においては、必ずしも第２記録層８ｃにはダミーデータを形成する必要は無い。しかしながら、上述のように第２記録層８ｃにもダミーデータを形成すれば、同一の信号検出回路により、それぞれの欠陥トラック情報を検出することが可能である。このため、全ての記録層にダミーデータを形成することが望ましい。
【０２０５】
一方、図１１に示すダミーデータ形成装置５０ｂを用いる場合には、例えば以下のようにする。第１の光ピックアップ装置５１ｂにより、第１記録層１０ｃの領域３ｈに対してダミーデータを記録し、完了後に欠陥管理領域３ｊに欠陥トラック情報を記録する。また、第２の光ピックアップ装置５２ｂにより、第２記録層８ｃの領域３ｉに対してダミーデータを記録し、完了後に欠陥管理領域３ｋに欠陥トラック情報を記録する。このように、複数の光ピックアップを用いて、ダミーデータ及び欠陥管理領域を形成することにより、光ディスク製造時間を短縮することが可能となる。
【０２０６】
以上のようにして得られる光ディスク１ｃは、第１記録層１０ｃの記録可能領域３ｈおよび３ｊの全面にわたって、欠陥トラック情報またはダミーデータが記録されている。
【０２０７】
したがって、上述の実施の形態と同様に、例えば本発明に係る光記録再生装置を用いて光ディスク１ｃを記録再生する場合には、第２記録層８ｃへ集光照射される光ビームは、第１記録層１０ｃの記録可能領域を通過して、第２記録層８ｃへと集光照射される。よって、第２記録層８ｃにおける記録再生パワー感度変動を発生することなく、第２記録層８ｃに対する記録再生を行うことができる。
【０２０８】
また、図１２の場合に示すように、上述の実施の形態２と同様に、光ディスク１ｃの第１記録層１０ｃの記録可能領域３ｈおよび３ｊを、第２記録層８ｃの記録可能領域３ｉおよび３ｋよりも広くする構成も好ましい。そうすれば、第２記録層８ｃの最外周トラックまたは最内周トラックに光ビームを集光照射する場合においても、第１記録層１０ｃの記録可能領域３ｈおよび３ｊを通過させて集光照射することが可能となる。したがって、複数の記録層を有する光記録媒体の利便性をさらに改善することが可能となる。
【０２０９】
また、光ディスク１ｃにおいては、第１記録層１０ｃの欠陥トラック情報が第１記録層１０ｃの欠陥管理領域３ｊに記録され、第２記録層８ｃの欠陥トラック情報が第２記録層８ｃの欠陥管理領域３ｋに記録される。このため、それぞれの記録層を独立して取り扱うことが可能となり、光記録媒体の利便性が改善される。
【０２１０】
すなわち、光ディスク１ｃの第２記録層８ｃへの情報記録を行う際には、例えば欠陥管理領域３ｋの欠陥トラック情報を再生して、情報記録を行う。このため、例えば第１記録層１０ｃの欠陥管理領域３ｊにアクセスする必要がなく、直接第２記録層８ｃへのフォーカシング及びトラッキングを行い、欠陥トラック情報の確認を行い、記録動作を開始することが可能となる。
【０２１１】
上記構成は、例えば計算機用の光ディスクのように、高速での記録再生が必要とされる光記録再生装置に用いる光ディスクとして望ましい。
【０２１２】
本発明は上述した各実施形態に限定されるものではなく、請求項に示した範囲で種々の変更が可能であり、異なる実施形態にそれぞれ開示された技術的手段を適宜組み合わせて得られる実施形態についても、本発明の技術的範囲に含まれる。
【０２１３】
上述の具体的な実施形態または実施例は、あくまでも、本発明の技術内容を明らかにするものであって、本発明はそのような具体例にのみ限定して狭義に解釈されるべきものではなく、特許請求の範囲に示した範囲で種々の変更が可能であり、変更した形態も本発明の技術的範囲に含まれる。
【０２１４】
【発明の効果】
本発明に係る光記録媒体は、以上のように、第１記録層ないし第（ｎ−１）記録層は、記録可能領域の全面にダミー情報が記録されている構成である。
【０２１５】
それゆえ、ダミー情報の記録された記録層を透過した光ビームによって所望の記録層に記録が行われるため、記録に要する光ビームのパワーを一定にでき、全ての記録層に対する記録再生を独立して行うことが可能となるので、複数の記録層を有する光記録媒体の利便性を改善することができるという効果を奏する。
【０２１６】
本発明に係る光記録媒体は、以上のように、上記構成において、ｍをｎ未満の整数として、第ｍ記録層の上記記録可能領域は、第（ｍ＋１）記録層の上記記録可能領域よりも広く形成されている構成である。
【０２１７】
それゆえ、例えば第（ｍ＋１）記録層の最外周トラックまたは最内周トラック近傍においても、記録再生に要する光ビームのパワーを一定にできるという効果を奏する。
【０２１８】
本発明に係る光記録媒体は、以上のように、上記構成において、上記第ｍ記録層の上記記録可能領域は、上記第（ｍ＋１）記録層に入射される上記光ビームを透過させる構成である。
【０２１９】
それゆえ、トラック位置にかかわらず記録再生に必要な光ビームの強度が確実に同じである光記録媒体を提供できるという効果を奏する。
【０２２０】
本発明に係る光記録媒体は、以上のように、上記構成において、上記記録層の内の少なくとも一つの記録層は、上記記録可能領域内に、光記録媒体本体の欠陥トラック情報を記録した欠陥管理領域を含む構成である。
【０２２１】
それゆえ、記録再生を行う場合に、その欠陥管理領域に記録された欠陥トラック情報を再生して、光記録媒体に記録された情報の再生をよりスムースに行うことができるという効果を奏する。
【０２２２】
本発明に係る光記録媒体は、以上のように、上記構成において、上記第１記録層ないし上記第ｎ記録層は、それぞれ上記記録可能領域内に、光記録媒体本体の欠陥トラック情報を記録した欠陥管理領域を含む構成である。
【０２２３】
それゆえ、記録再生を行う場合に、例えば記録層ごとに、その欠陥管理領域に記録された欠陥トラック情報を再生して、光記録媒体に記録された情報の再生をさらにスムースに行うことができるという効果を奏する。
【０２２４】
本発明に係る光記録媒体製造装置は、以上のように、光記録媒体に光ビームを入射させて情報の記録を行うための光ピックアップ装置と、上記光ピックアップ装置を用いて上記光記録媒体に所望の情報を記録させる制御手段とを備え、上記制御手段は、上記光ビームが入射されて情報の記録再生がなされる記録可能領域を含む記録層をｎを２以上の整数としてｎ層有する光記録媒体に含まれる、上記光ビームの入射側から順に第１記録層ないし第（ｎ−１）記録層の上記記録可能領域の全面に、ダミー情報を記録させる構成である。
【０２２５】
それゆえ、上述した本発明に係る光記録媒体を製造して、複数の記録層を有する光記録媒体の利便性を向上することができるという効果を奏する。
【０２２６】
本発明に係る光記録媒体製造装置は、以上のように、光記録媒体に光ビームを入射させて情報の記録を行うための光ピックアップ装置と、上記光ピックアップ装置を用いて上記光記録媒体に所望の情報を記録させる制御手段とを備え、上記制御手段は、上記光ビームが入射されて情報の記録再生がなされる記録可能領域を含む記録層をｎを２以上の整数としてｎ層有する光記録媒体に含まれる、上記光ビームの入射側から順に第１記録層ないし第（ｎ−１）記録層の上記記録可能領域の全面に、ダミー情報を記録させるとともに、上記光ビームの反射光量に応じて上記記録可能領域内に含まれる欠陥トラック情報を検出する一方、上記制御手段は、少なくとも一つの記録層に含まれる、上記欠陥トラック情報を記録するための欠陥管理領域に、上記欠陥トラック情報を記録させる構成である。
【０２２７】
それゆえ、上述した本発明に係る光記録媒体を製造して、複数の記録層を有する光記録媒体の利便性を向上することができるという効果を奏する。
【０２２８】
本発明に係る光記録媒体製造装置は、以上のように、光記録媒体に光ビームを入射させて情報の記録を行うための光ピックアップ装置と、上記光ピックアップ装置を用いて上記光記録媒体に所望の情報を記録させる制御手段とを備え、上記制御手段は、上記光ビームが入射されて情報の記録再生がなされる記録可能領域を含む記録層をｎを２以上の整数としてｎ層有する光記録媒体に含まれる、上記光ビームの入射側から順に第１記録層ないし第（ｎ−１）記録層の上記記録可能領域の全面に、ダミー情報を記録させるとともに、上記光ビームの反射光量に応じて上記記録可能領域内に含まれる欠陥トラック情報を検出する一方、上記制御手段は、それぞれの記録層に含まれる、上記欠陥トラック情報を記録するための欠陥管理領域に、上記欠陥トラック情報を上記記録層ごとに記録させる構成である。
【０２２９】
それゆえ、上述した本発明に係る光記録媒体を製造して、複数の記録層を有する光記録媒体の利便性を向上することができるという効果を奏する。
【０２３０】
本発明に係る光記録媒体製造装置は、以上のように、上記構成において、上記光ピックアップ装置を１個のみ有している一方、上記制御手段は、上記第１記録層ないし上記第（ｎ−１）記録層のいずれか一つの記録層の上記記録可能領域の全面に上記ダミー情報を記録させた後に、他の記録層へ上記ダミー情報を記録させることによって、上記第１記録層ないし第（ｎ−１）記録層の上記記録可能領域の全面に上記ダミー情報を記録させる構成である。
【０２３１】
それゆえ、特定の記録層の記録可能領域に対するダミー情報の記録が完了した後、他の記録層へのダミー情報の記録を行うので、それぞれの記録層にダミー情報を記録する際に必要となる記録のためのパワー感度が一定となり、安定したダミー情報の記録が可能となるという効果を奏する。
【０２３２】
本発明に係る光記録媒体製造装置は、以上のように、上記構成において、上記光ピックアップ装置を複数有している一方、上記制御手段は、上記複数の光ピックアップ装置を用いて、上記光記録媒体のそれぞれ異なる位置へ上記ダミー情報を記録させることによって、上記第１記録層ないし第（ｎ−１）記録層の上記記録可能領域の全面に上記ダミー情報を記録させる構成である。
【０２３３】
それゆえ、例えば複数の記録層に対して同時にダミー情報の記録を行って、高速なダミー情報の記録が可能となるので、光記録媒体をより短時間で製造して製造コストを削減することができるという効果を奏する。
【０２３４】
本発明に係る光記録媒体製造装置は、以上のように、上記構成において、上記複数の光ピックアップ装置は、上記光ビームを、既に上記ダミー情報を記録した領域、または上記ダミー情報を記録していない領域のいずれか一方を介して、所望の上記記録層の上記記録可能領域へと入射させて、上記ダミー情報を記録させる構成である。
【０２３５】
それゆえ、それぞれの記録層にダミー情報を記録する際に必要となる記録のためのパワー感度を確実に一定として、さらに安定したダミー情報の記録が可能となるという効果を奏する。
【０２３６】
本発明に係る光記録再生装置は、以上のように、上述のいずれかの光記録媒体に対して記録再生を行う構成である。
【０２３７】
それゆえ、複雑な記録再生システムを不要として、全ての記録層に対する記録再生を独立して行うことが可能となり、複数の記録層を有する光記録媒体の利便性を改善することができるという効果を奏する。
【図面の簡単な説明】
【図１】本発明に係る光記録媒体の一実施の形態を示す概略の断面図である。
【図２】上記光記録媒体の平面図である。
【図３】上記光記録媒体の製造途中の状態を示す断面図である。
【図４】上記光記録媒体のより詳細な構成を示す断面図である。
【図５】本発明に係る光記録媒体製造装置の一実施の形態の概略を示す斜視図である。
【図６】本発明に係る光記録再生装置の一実施の形態を示す概略の斜視図である。
【図７】本発明に係る光記録媒体の他の実施の形態を示す概略の断面図である。
【図８】上記光記録媒体の一部を示す概略の断面図である。
【図９】本発明に係る光記録媒体のさらに他の実施の形態を示す概略の断面図である。
【図１０】本発明に係る光記録媒体の製造装置の他の実施の形態を示す概略の斜視図である。
【図１１】本発明に係る光記録媒体の製造装置のさらに他の実施の形態を示す概略の斜視図である。
【図１２】本発明に係る光記録媒体のさらに他の実施の形態を示す概略の断面図である。
【図１３】従来の光記録媒体を示す平面図である。
【図１４】上記光記録媒体の概略の断面図である。
【図１５】上記光記録媒体の一部を拡大して示す平面図である。
【図１６】上記光記録媒体の一部を示す概略の断面図である。
【符号の説明】
１、１ａ、１ｂ、１ｃ　　　　　光ディスク（光記録媒体）
３、３ａ、３ｂ、３ｅ、３ｆ、３ｈ、３ｉ記録可能領域
３ｇ、３ｊ、３ｋ　　　　　　　欠陥管理領域（記録可能領域）
８、８ａ、８ｂ、８ｃ　　　　　第２記録層（記録層）
１０、１０ａ、１０ｂ、１０ｃ　第１記録層（記録層）
２５　　　　　　　　　　　　　光ディスク記録再生装置（光記録再生装置）
５０、５０ａ、５０ｂ　　　　　ダミーデータ形成装置（光記録媒体製造装置）
５１、５１ａ、５１ｂ、５２、５２ｂ光ピックアップ（光ピックアップ装置）
５３、５４、５６ａ、５６ｂ、５８ｂ信号処理回路（制御手段）
５７ａ、５７ｂ、５９ｂ　　　　欠陥トラック記憶回路（制御手段）
Ｌ、Ｌ１、Ｌ２、Ｌ３、Ｌ４　　光ビーム
【図１】
2004039107.tif 000003
【図２】
2004039107.tif 000004
【図３】
2004039107.tif 000005
【図４】
2004039107.tif 000006
【図５】
2004039107.tif 000007
【図６】
2004039107.tif 000008
【図７】
2004039107.tif 000009
【図８】
2004039107.tif 000010
【図９】
2004039107.tif 000011
【図１０】
2004039107.tif 000012
【図１１】
2004039107.tif 000013
【図１２】
2004039107.tif 000014
【図１３】
2004039107.tif 000015
【図１４】
2004039107.tif 000016
【図１５】
2004039107.tif 000017
【図１６】
2004039107.tif 000018